(57)【要約】【課題】健康促進の有効範囲が広い上、それから突起して体に不快感を与えるものもない健康促進用着用具を提供すること。【解決手段】着用部材と、該着用部材に固定されている着脱手段と、を備えている着用具であって、該着用部材は、少なくとも一つのパックユニットからなり、また、該パックユニットは、繊維製品である袋手段と、該袋手段に収納されている弾性パッドとからなり、該弾性パッドは、エラスチック材からなったシート状のエラスチックマトリックスと、健康促進機能を有する上、前記エラスチックマトリックス内に混在している健康促進物質とからなり、前記着脱手段は、前記着用部材を着用可能にし、且つ、着用時に、前記袋手段を人体に当てることができるように構成されていることを特徴とする健康促進用着用具を提供する。【選択図】図１
0003147473.tif 000002
【実用新案登録請求の範囲】
【請求項１】
着用部材と、該着用部材に固定されている着脱手段と、を備えている着用具であって、
該着用部材は、少なくとも一つのパックユニットからなり、また、該パックユニットは、繊維製品である袋手段と、該袋手段に収納されている弾性パッドとからなり、
該弾性パッドは、エラスチック材からなったシート状のエラスチックマトリックスと、健康促進機能を有する上、前記エラスチックマトリックス内に混在している健康促進物質とからなり、
前記着脱手段は、前記着用部材を着用可能にし、且つ、着用時に、前記袋手段を人体に当てることができるように構成されていることを特徴とする健康促進用着用具。
【請求項２】
着用部材と、該着用部材に固定されている着脱手段と、を備えて環状となっている着用具であって、
該着用部材は、前記環状に沿って互いに離れた二つのパックユニットからなり、また、該パックユニットは、いずれも、繊維製品である袋手段と、該袋手段に収納されている弾性パッドとからなり、
該弾性パッドは、エラスチック材からなったシート状のエラスチックマトリックスと、健康促進機能を有する上、前記エラスチックマトリックス内に混在している健康促進物質とからなり、
前記着脱手段は、前記環状に沿う上、前記二つのパックユニットと交錯して配置されるように連結した２本の伸縮バンドからなっており、それにより、前記着用部材を前記二つのパックユニットが人体に当たるように着用することができることを特徴とする健康促進用着用具。
【請求項３】
着用部材と、該着用部材に固定されている着脱手段と、を備えている着用具であって、
該着用部材は、複数のパックユニットからなり、また、該複数のパックユニットは、いずれも、繊維製品であって蓋付き開口を有する袋手段と、該袋手段に取出し可能に収納されている弾性パッドとからなり、
該弾性パッドは、エラスチック材からなったシート状のエラスチックマトリックスと、健康促進機能を有する上、前記エラスチックマトリックス内に混在している健康促進物質とからなり、
前記着脱手段は、前記着用部材を着用可能にし、且つ、着用時に、前記袋手段を人体に当てることができるように構成されていることを特徴とする健康促進用着用具。
【請求項４】
前記袋手段は、周縁が縫い合わされている２枚の布からなったものであり、前記弾性パッドは前記２枚の布の間に挟まれていることを特徴とする請求項１または２に記載の健康促進用着用具。
【請求項５】
前記着脱手段は、前記袋手段の互いに反対側にある２端を結んだ２本の弾性ストリップからなっていることを特徴とする請求項１に記載の健康促進用着用具。
【請求項６】
前記健康促進用着用具の全体の構成が、着用時に、前記弾性パッドが人体の両目と、鼻柱の両側と、左右のこめかみに対応する部分を有するようになっていることを特徴とする請求項５に記載の健康促進用着用具。
【請求項７】
前記複数のパックユニットは、一連に繋ぎ合ってベルト状となっており、
前記着脱手段は、前記ベルト状になっている複数の前記パックユニットのベルト両端にそれぞれ配置されていて互いに接続することができる一対の面ファスナーからなっていることを特徴とする請求項３に記載の健康促進用着用具。
【請求項８】
前記着用部材における複数のパックユニットは、互いに重ねられてから前記一連の、開口を有する袋手段を構成するように縫い合わされた第１と第２のバンドからなったものであり、
また、前記一連の袋手段は、いずれも、その開口の一側のバンドの端縁から袋手段内に折り畳むように延伸している部分を有し、該部分は前記蓋として袋手段内の前記弾性パッドを挟んでいることを特徴とする請求項７に記載の健康促進用着用具。
【請求項９】
前記第１及び第２のバンドの少なくとも一つにおいて、前記一連の袋手段に収容されている前記複数の弾性パッドをそれぞれ１部に露出させる一連の通孔が形成されていることを特徴とする請求項８に記載の健康促進用着用具。
【請求項１０】
前記健康促進物質として、遠赤外線放出機能を有する物質と、マイナスイオン放出機能を有する物質と、磁性を有する物質と、殺菌機能を有する物質とから選ばれた少なくとも１つが粉末状態で使用されていることを特徴とする請求項１から９までのいずれか一項に記載の健康促進用着用具。
【請求項１１】
前記健康促進物質として、遠赤外線を放出するシリカ鉱物が使用されていることを特徴とする請求項１０に記載の健康促進用着用具。
【請求項１２】
前記健康促進物質として、殺菌効果を有するナノシルバー粉末が使用されていることを特徴とする請求項１０に記載の健康促進用着用具。
【考案の詳細な説明】
【技術分野】
【０００１】
本考案は、健康促進用着用具に関し、特に、着用していると健康を促進する機能が働く健康促進用着用具に関する。
【背景技術】
【０００２】
近年、磁気バンドが流行っている。
磁気バンドとは、体の一部に付けることができるように構成される上、それに複数の磁石玉が取り付けられているバンド状のものであり、体のどこかに局部的に疲労感がする時、または、なにもなくただ体の調子を調整して健康を促進しようとする時、磁石玉が該疲労箇所または適当なツボに当たるように該磁気バンドを付け、磁石玉から発する磁気で該疲労箇所または該ツボにおける血行を促進することができる。
【０００３】
しかし、このような磁気バンドを使用する時、健康促進効果が発揮されるのは、磁石玉が当たる該疲労箇所及びその近辺だけであり、範囲が狭い上、磁気バンドも時々体の避けられぬ動きによって本来の位置からずれるので、効果が予定通りに発揮できず、それに、磁石玉がバンドから突起しているので、体を突いて不快感を与え、また、バンドから独立体になっているので、取付け位置から外れて紛失しやすい、などの欠点がある。
【０００４】
ところで、磁石玉のような磁性を有する物質の外に、健康促進効果のある他のいわゆる機能性物質、例えば遠赤外線放出機能を有する物質と、マイナスイオン放出機能を有する物質と、殺菌機能を有する物質などがどんどん開発されて採用されてきている。また、バンドだけでなく、他の例えば衣服などの着用具と構成されたものも、段段と見られてきている。
【考案の開示】
【考案が解決しようとする課題】
【０００５】
前記に鑑みて、本考案は、まず、その健康促進の有効範囲が広い上、それから突起して体に不快感を与えるものもない健康促進用着用具を提供しようとすることを目的とする。
【０００６】
本考案は、また、健康促進機能を発揮できる位置が必要に応じて容易に変更することができ、そして発揮して欲しい健康促進効果の種類も自由に選択できる健康促進用着用具を提供しようとすることをもう一つの目的とする。
【課題を解決するための手段】
【０００７】
上記目的を達成すべく、本考案は、着用部材と、該着用部材に固定されている着脱手段と、を備えている着用具であって、該着用部材は、少なくとも一つのパックユニットからなり、また、該パックユニットは、繊維製品である袋手段と、該袋手段に収納されている弾性パッドとからなり、該弾性パッドは、エラスチック材からなったシート状のエラスチックマトリックスと、健康促進機能を有する上、前記エラスチックマトリックス内に混在している健康促進物質とからなり、前記着脱手段は、前記着用部材を着用可能にし、且つ、着用時に、前記袋手段を人体に当てることができるように構成されていることを特徴とする健康促進用着用具を提供する。
【０００８】
前記着用具は、バンド状も、衣服状も、マスク状も、ネクレース状も形成される。マスク状の例として、全体構成が、着用時に、前記弾性パッドが人体の両目と、鼻柱の両側と、左右のこめかみに対応する部分を有するようになっている睡眠マスクが挙げられる。
【０００９】
そして、バンド状の例として、着用部材と、該着用部材に固定されている着脱手段と、を備えて環状となっている着用具であって、該着用部材は、前記環状に沿って互いに離れた二つのパックユニットからなり、また、該パックユニットは、いずれも、繊維製品である袋手段と、該袋手段に収納されている弾性パッドとからなり、該弾性パッドは、エラスチック材からなったシート状のエラスチックマトリックスと、健康促進機能を有する上、前記エラスチックマトリックス内に混在している健康促進物質とからなり、前記着脱手段は、前記環状に沿う上、前記二つのパックユニットと交錯して配置されるように連結した２本の伸縮バンドからなっており、それにより、前記着用部材を前記二つのパックユニットが人体に当たるように着用することができるものが挙げられる。
【００１０】
また、上記もう一つの目的を達成すべく、本考案は、着用部材と、該着用部材に固定されている着脱手段と、を備えている着用具であって、該着用部材は、複数のパックユニットからなり、また、該複数のパックユニットは、いずれも、繊維製品であって蓋付き開口を有する袋手段と、該袋手段に取出し可能に収納されている弾性パッドとからなり、該弾性パッドは、エラスチック材からなったシート状のエラスチックマトリックスと、健康促進機能を有する上、前記エラスチックマトリックス内に混在している健康促進物質とからなり、前記着脱手段は、前記着用部材を着用可能にし、且つ、着用時に、前記袋手段を人体に当てることができるように構成されていることを特徴とする健康促進用着用具をも提供する。
【考案の効果】
【００１１】
上記構成による健康促進用着用具は、いずれかの形状にされても、その健康促進機能を発揮する健康促進物質がエラスチック材からなったシート状のエラスチックマトリックス内に混在しているので、該エラスチックマトリックスの全面積に渡る広範囲に健康促進効果を発揮できる上、従来の磁気バンドにおける磁石玉がなす突起もなく、人体を突いて不快感を与えることがない。
【００１２】
また、健康促進用着用具は、上記構成のように、着用部材を、複数のパックユニットからなり、且つ、該複数のパックユニットは、いずれも、蓋付き開口を有する袋手段と、該袋手段に取出し可能に収納されている弾性パッドとからなるものにしたら、機能性物質含有の弾性パッドの設置位置が必要に応じて容易に変更でき、また、発揮して欲しい健康促進効果の種類も自由に選択できる。
【考案を実施するための最良の形態】
【００１３】
以下は、図面を参照しながら、本考案の好ましい実施形態について詳しく説明する。
【００１４】
まず、図１に示すのは本考案の第１の実施形態である。図１に示すように、本考案の健康促進用着用具の第１の実施形態は、睡眠マスク状に形成される上、人体の両目と、鼻柱の両側と、左右のこめかみに対応する部分を有するように形成されている着用部材２と、該着用部材２に固定されていて該着用部材を人体の頭部に着用可能にし、且つ、着用時に、該着用部材２を人体の頭部に当てることができるように構成されている着脱手段３と、を備えている。
【００１５】
そして、この実施形態における着用部材２は、１つのパックユニット２１からなり、また、該パックユニット２１は、繊維製品である袋手段２１１と、該袋手段２１１内に収納されている弾性パッド２１２とを有している。袋手段２１１及び弾性パッド２１２は、着用部材２の形状に対応して、共に人体の両目と、鼻柱の両側と、左右のこめかみに対応して覆うことができる部分を有している。
【００１６】
図２に示すのは本考案の第１の実施形態が有する弾性パッド２１２である。図示のように、弾性パッド２１２は、エラスチック材からなったシート状のエラスチックマトリックス２１２ａと、健康促進機能を有する上、エラスチックマトリックス２１２ａ内に混在している健康促進物質２１２ｂとからなっている。
【００１７】
健康促進物質２１２ｂとしては、遠赤外線放出機能を有する物質と、マイナスイオン放出機能を有する物質と、磁性を有する物質と、殺菌機能を有する物質とから選ばれた少なくとも１つが粉末状態で使用されている。前記遠赤外線放出機能を有する物質として、遠赤外線を放出するシリカ鉱物を使用することができ、そして前記殺菌機能を有する物質として、殺菌効果を有するナノシルバー粉末を使用することができる。
【００１８】
着脱手段３は、それぞれの２端が袋手段２１１の互いに反対側にある２端を結ぶように着用部材２に固定されている２本の弾性ストリップ３１、３１からなっている。
【００１９】
この構成によると、本考案の第１の実施形態の弾性パッド２１２は、遠赤外線放出機能、マイナスイオン放出機能、磁性、殺菌機能などの健康促進機能を発揮する健康促進物質２１２ｂを粉末状態で使用して、エラスチック材からなったシート状のエラスチックマトリックス２１２ａ内に混在してなるので、着用部材２を人体の両目と、鼻柱の両側と、左右のこめかみに対応して当てるように着用すると、従来の磁石玉の局所的ではなく、該シート状のエラスチックマトリックス２１２ａの全面積に渡る広範囲に健康促進効果を発揮でき、また、従来の磁石玉がなす突起がないので、人体に不快感を与えない。
【００２０】
続いて、本考案の第２の実施形態について詳しく説明する。
【００２１】
図３に示す本考案の第２の実施形態は、健康促進用バンドである。図３に示すように、本考案の健康促進用着用具の第２の実施形態は、全体が環状となる上、前記環状に沿って互いに離れた２つのパックユニット２２、２２からなっている着用部材２と、２本の伸縮バンド３２、３２からなり、且つ、前記着用部材２の２つのパックユニット２２、２２と交錯して配置され、それぞれの両端が対応のパックユニット２２、２２と連結している着脱手段３と、からなっている。
【００２２】
この実施形態の着用部材２が有する２つのパックユニット２２、２２は、いずれも、繊維製品である袋手段２２１、２２１と、該袋手段２２１、２２１にそれぞれ収納されている２つの弾性パッド２２２、２２２とからなり、弾性パッド２２２、２２２は、第１の実施形態と同じように、それぞれエラスチック材からなったシート状のエラスチックマトリックス２２２ａ、２２２ａと、健康促進機能を有する上、前記エラスチックマトリックス２２２ａ、２２２ａ内に混在している健康促進物質２２２ｂとからなっている。
【００２３】
この実施形態において、袋手段２２１、２２１は、図４に示すように、それぞれ周縁が縫い合わされている２枚の布２２１１、２２１１からなったものであり、各弾性パッド２２２、２２２は対応する袋手段２２１の２枚の布２２１１、２２１１の間に挟まれている。
【００２４】
この第２の実施形態は前記第１の実施形態の変化例であり、パックユニット２２を複数設置することによって、例えばネックの周りや額、手足など人体の各部位に対応して当てて、不快感を与えることなく健康を促進する効果を発揮することができる。
【００２５】
次いで、図５、図６を用いて本考案の第３の実施形態について詳しく説明する。
【００２６】
図５はこの第３の実施形態の構成を示しており、そして図６は第３の実施形態が有するパックユニットの断面図である。
【００２７】
この実施形態も健康促進用バンドとなっているが、図５に示すように、この実施形態における着用部材２は、有する複数（図中では１０個）のパックユニット２３によって一連に繋ぎ合ってベルト状となっており、また、該複数のパックユニット２３は、いずれも、繊維製品であって蓋付き開口２３３を有する袋手段２３１と、該袋手段２３１に取出し可能に収納されている弾性パッド２３２とからなっている。
【００２８】
該弾性パッド２３２は、第１及び第２の実施形態と同じように、エラスチック材からなったシート状のエラスチックマトリックス２３２ａと、健康促進機能を有する上、前記エラスチックマトリックス内に混在している健康促進物質２３２ｂとからなっている。
【００２９】
この実施形態における着脱手段３は、前記ベルト状になっている複数の前記パックユニット２３のベルト両端にそれぞれ配置されていて互いに接続することができる一対の面ファスナー３３、３４からなっている。
【００３０】
この実施形態において、着用部材２が有する複数のパックユニット２３は、図５及び図６に示すように、互いに重ねられてから一連の開口２３３付き袋手段２３１を構成するように縫い合わされた第１と第２のバンド２３ａ、２３ｂからなったものであり、また、一連の袋手段２３１は、いずれも、開口２３３の一側の第１のバンド２３ａの端縁から袋手段２３１内に折り畳むように延伸すると共に、隣りの袋手段２３１と区切られるところが第１、第２のバンド２３ａ、２３ｂと共に縫い合わされている折り畳み部分２３１ａを有し、該折り畳み部分２３１ａはその袋手段２３１の蓋として、袋手段２３１内に収容されている弾性パッド２３２を挟んでいる。
【００３１】
更に、第２のバンド２３ｂには、各袋手段２３１に対応してそれぞれの袋手段２３１内に収容されている各弾性パッド２３２をそれぞれの１部を露出させる一連の通孔２３ｃが形成されている。
【００３２】
この第３の実施形態の構成によって、粉末状の健康促進物質２３２ｂとエラスチック材からなったシート状のエラスチックマトリックス２３２ａとからなった弾性パッド２３２を用いることによって、人体に接触しても不快感を与えることない健康促進用着用具を提供できる上、この実施形態の健康促進用着用具の袋手段２３１を、それぞれ人体の違う部位に当てることができるように複数の蓋付き開口２３３を有するものを用いることにより、各部位に与える健康促進効果の種類を有する弾性パッド２３２を自由に選択することができ、その上自由に取り替えて発揮して欲しい健康促進効果の種類を有する弾性パッド２３２を自由に選択することができる。
【産業上の利用可能性】
【００３３】
叙上のように、本考案の健康促進用着用具は、健康促進機能を発揮する健康促進物質、即ち機能性物質がエラスチックマトリックス内に混在しているので、使用時に、該エラスチックマトリックスの全面積に渡る広範囲に健康促進効果を発揮できる上、従来の磁気バンドにおける磁石玉がなす突起もなく、人体を突いて不快感を与えることがない。
【００３４】
また、本考案の健康促進用着用具は、着用部材を複数のパックユニットから構成する上、該複数のパックユニットを、いずれも、蓋付き開口を有する袋手段と、該袋手段に取出し可能に収納されている弾性パッドとからなるものに構成したら、機能性物質含有の弾性パッドの設置位置及び設置種類が必要に応じて容易に変更できる。
【図面の簡単な説明】
【００３５】
【図１】本考案の第１の実施形態の構成を示す要部構成図。
【図２】本考案の第１の実施形態における弾性パッドの構成を示す斜視図。
【図３】本考案の第２の実施形態の構成を示す要部分解図。
【図４】本考案の第２の実施形態のパックユニットの構成を示す断面図。
【図５】本考案の第３の実施形態の構成を示す斜視図。
【図６】本考案の第３の実施形態のパックユニットの構成を示す断面図。
【符号の説明】
【００３６】
２  着用部材
２１  パックユニット
２１１  袋手段
２１２  弾性パッド
２１２ａ  エラスチックマトリックス
２１２ｂ  健康促進物質
２２、２２  パックユニット
２２１、２２１  袋手段
２２１１  布
２２２、２２２  弾性パッド
２２２ａ  エラスチックマトリックス
２２２ｂ  健康促進物質
２３  パックユニット
２３１  袋手段
２３１ａ  折り畳み部分
２３２  弾性パッド
２３２ａ  エラスチックマトリックス
２３２ｂ  健康促進物質
２３３  開口
２３ａ  第１のバンド
２３ｂ  第２のバンド
２３ｃ  通孔
３  着脱手段
３１  弾性ストリップ
３２、３２  伸縮バンド
３３、３４  面ファスナー
【図１】
0003147473.tif 000003
【図２】
0003147473.tif 000004
【図３】
0003147473.tif 000005
【図４】
0003147473.tif 000006
【図５】
0003147473.tif 000007
【図６】
0003147473.tif 000008
【手続補正書】
【提出日】平成20年10月24日(2008.10.24)
【手続補正１】
【補正対象書類名】実用新案登録請求の範囲
【補正対象項目名】請求項１２
【補正方法】変更
【補正の内容】
【請求項１２】
前記健康促進物質として、殺菌効果を有するナノシルバー（登録商標）粉末が使用されていることを特徴とする請求項１０に記載の健康促進用着用具。
【手続補正２】
【補正対象書類名】明細書
【補正対象項目名】００１７
【補正方法】変更
【補正の内容】
【００１７】
健康促進物質２１２ｂとしては、遠赤外線放出機能を有する物質と、マイナスイオン放出機能を有する物質と、磁性を有する物質と、殺菌機能を有する物質とから選ばれた少なくとも１つが粉末状態で使用されている。前記遠赤外線放出機能を有する物質として、遠赤外線を放出するシリカ鉱物を使用することができ、そして前記殺菌機能を有する物質として、殺菌効果を有するナノシルバー（登録商標）粉末を使用することができる。